(57)【特許請求の範囲】
【請求項１】
温水を貯湯する貯湯タンクと、該貯湯タンクに接続する給水管及び給湯管及び排水管とを枠体内に備えたものに於いて、前記枠体内には排水管途中に位置し手動で開閉される排水栓を備え、更にこの排水栓近傍の枠体には操作窓を形成すると共に、この操作窓の周縁には外方に突出する立設壁を設け、更にこの操作窓には手で開閉容易な蓋体を備え、排水栓の開閉を手で容易に行えるようにした事を特徴とする貯湯式給湯装置。
【請求項２】
上記蓋体は、手で簡単に回動されるネジで取り付けられている事を特徴とする請求項１記載の貯湯式給湯装置。
【請求項３】
上記蓋体は、操作窓に装着された十字に切り込みが入ったゴムブッシュで構成し、排水栓の開閉を手で容易に行えるようにした事を特徴とする請求項１記載の貯湯式給湯装置。
【請求項４】
上記蓋体は、上下左右の一点を支点に回動する可動蓋で構成し、排水栓の開閉を手で容易に行えるようにした事を特徴とする請求項１記載の貯湯式給湯装置。
【請求項５】
前記操作窓は前記枠体の側面に形成されている事を特徴とする請求項１記載の貯湯式給湯装置。
【発明の詳細な説明】
【０００１】
【発明が属する技術分野】
この発明は、内部に備えたヒータの加熱や、外部の熱源機と熱交換して得られた高温水を貯湯し、適宜給湯箇所に給湯したり、或いは浴槽に湯張りして供給する貯湯式給湯装置に関するものである。
【０００２】
【従来の技術】
従来よりこの種のものに於いては、例えば特許番号第２６０５５４５号公報に開示されている如く、長期不在の為に全電力を停止した時に発生する凍結を防止する為、貯湯タンク内の水を枠体外に備えた手動式の排水栓を開成して、水抜きを行うものであった。
【０００３】
【発明が解決しようとする課題】
ところでこの従来のものでは、排水栓が枠体外に露呈しているので、凍結する危険があり、凍結すると貯湯タンク内の水を抜くことが出来なくなると言う問題点を有するものであった。
【０００４】
【問題点を解決するための手段】
この発明はこの点に着目し上記欠点を解決する為、特にその構成を、温水を貯湯する貯湯タンクと、該貯湯タンクに接続する給水管及び給湯管及び排水管とを枠体内に備えたものに於いて、前記枠体内には排水管途中に位置し手動で開閉される排水栓を備え、更にこの排水栓近傍の枠体には操作窓を形成すると共に、この操作窓の周縁には外方に突出する立設壁を設け、更にこの操作窓には手で開閉容易な蓋体を備え、排水栓の開閉を手で容易に行えるようにしたものである。
【０００５】
又操作窓の周縁に立設壁を設けて、枠体内への雨水の侵入を阻止するようにしたものである。
更に操作窓を枠体の側面に形成したことで、雨水が枠体表面を伝って流下してきても、この操作窓から枠体内への侵入を確実に阻止することが出来るものである。
【０００６】
【発明の実施の形態】
枠体３５内に備えた２個の貯湯タンク２、３の底部には、それぞれ排水管５２を連通し、この排水管５２には手動で開閉される排水栓５３が枠体３５内方側に備えられ、更にこの排水栓５３近傍の枠体３５一側面の下部には、手が挿入する大きさの操作窓５４が形成され、この操作窓５４には手で簡単に回動される２本のネジ５７で固定され開閉容易とした蓋体５６が取り付けられているものである。
【０００７】
従って、排水栓５３は蓋体５６が設けられている枠体３５内に備えられているので、凍結して水抜きが出来なくなる恐れがなく、又水抜き操作は、操作窓５４を閉塞している蓋体５６を取り外して行うものであるが、この蓋体５６は工具等を使用することなく手で簡単に回せるネジ５７を緩めて、容易に取り外され、操作窓５４から手を入れて排水栓５３を開成すれば良いもので、誰でも簡単に操作出来確実に水抜きが行えるものである。
【０００８】
【実施例】
次にこの発明に係る貯湯式給湯装置を図面に示す一実施例で説明する。
１はヒートポンプユニット等の熱源機で、内方に備えた熱交換器（図示せず）に加熱用循環ポンプ（図示せず）の駆動で、２つの貯湯タンク２、３内の給水を往き管４と戻り管５から成る循環回路６を介して循環させることで、２つの貯湯タンク２、３内に１５０Ｌずつで３００Ｌの高温水を貯湯するものである。
【０００９】
７は往き管４が接続している貯湯タンク３に給水する為の給水管で、給水栓８及びストレーナー９及び給水サーミスタ１０及び減圧弁１１を有し、貯湯タンク３の底部に接続している。
【００１０】
１２は戻り管５が接続している貯湯タンク２上部に接続し高温水を適宜給湯箇所に供給する給湯管で、途中には給水管７から分岐した分岐管１３が接続しミキシングで出湯温度を調節するミキシング弁１４と、給湯サーミスタ１５及び給湯流量センサ１６が備えられている。
【００１１】
１７は給湯管１２から分岐し風呂循環回路１８に接続した湯張り回路で、途中には湯張り制御用の電磁弁１９及びバキュームブレーカ２０及び湯張り流量センサ２１及び２つの逆止弁２２、２３を備えている。
【００１２】
前記風呂循環回路１８で、浴槽２４に向かう風呂往き口２５側には、分岐部に湯温検知サーミスタ２６を有し、次にフローセンサ２７及び温度センサ２８付きで浴槽水を保温する保温ヒータ２９が備えられ、浴槽２４からの戻りである風呂戻り口３０側には、水位センサ３１及び電動弁３２、又循環ポンプ３３が備えられている。
更にこの湯張り回路１７と風呂循環回路１８とで、風呂回路３４を構成するものである。
【００１３】
３５は貯湯タンク２、３を並設し、各配管及び配管部品を収納する枠体で、内方は仕切板３６によって縦に仕切られ、貯湯タンク２、３が収納されるタンク室３７と、前記循環回路６及び給水管７及び給湯管１２及び風呂回路３４と言う管路を集中的に一箇所に配管した配管室３８とを形成し、この配管室３８外方は着脱容易な側面蓋３９で覆われている。
【００１４】
更に配管室３８下部を区画板４０で水平に区画して下方に配管接続室４１を形成し、ここに風呂往き口２５及び風呂戻り口３０及び循環回路６の往き口４２や戻り口４３と言う外部配管との接続部を備え、一箇所で効率良く配管接続作業が行えるようにしたものである。
【００１５】
４４は仕切板３６に取り付けられた制御ボックスで、循環回路６及び給湯や風呂回路３４を制御する電子部品、プリント基板等を収納するものである。
４５は循環ポンプ３３を区画板４０から立設して支持する固定金具である。
【００１６】
４６は貯湯タンク２底部と貯湯タンク３上部とを連絡する連絡管、４７は貯湯タンク２上部出口に備えられた機械式のサーモスイッチ、４８は貯湯タンク２、３内の湯温を検知する為の複数のサーミスタ、４９は負圧作動弁付きの逃がし弁、５０は各凍結危険箇所に取り付けられたセメント抵抗から成る凍結防止ヒータ、５１は貯湯タンク２を枠体３５内に固定する支持脚である。
【００１７】
５２は貯湯タンク２、３底部にそれぞれ連通し該貯湯タンク２、３内の水を抜く為の排水管で、枠体３５内の途中には手動で開閉される排水栓５３がそれぞれ備えられている。
【００１８】
５４は前記排水栓５３近傍の枠体３５一側面下部に形成された手の入る大きさで円形の操作窓で、ここから手を入れて排水栓５３の開閉を行うものであり、周縁には外方に向かって数ミリ突出した立設壁５５を全周に渡って形成し、枠体３５表面を伝って流下して来る雨水が、この操作窓５４から枠体３５内に侵入するのを阻止するものである。
【００１９】
５６はこの操作窓５４を閉塞し枠体３５内への冷気や雨水の侵入を防止すると共に、排水栓５３の操作が簡単に行えるように開閉容易に取り付けられた蓋体で、対角線上に備えた手で回動可能な２本の化粧ネジから成るネジ５７で取り付けられ、トライバー等の工具を使用することなく手で取り付け取り外しが出来ることで、開閉容易としているものである。
【００２０】
次にこの一実施例の作動について説明する。
今各貯湯タンク２、３内に水が貯えられた状態で、熱源機１側に備えられた加熱用循環ポンプを駆動すれば、往き管４から貯湯タンク３内及び連絡管４６を介して貯湯タンク２内の給水も熱源機１に循環し、順次熱交換器で高温水に熱交換され、戻り管５から貯湯タンク２及び連絡管４６を介して貯湯タンク３内に戻されるものであり、この駆動はタイマー制御で設定した時間毎に行ったり、或いは温水温度を常に設定温度に保持するように自動的に行われるようにするものである。
【００２１】
更に駆動中、或いは駆動停止後に給湯管１２に接続する給湯栓（図示せず）を開栓すれば、先ず貯湯タンク２内の温水がそのまま供給され、又設定温度以上の場合には、ミキシング弁１４で給水とミキシングして設定温度の温水を供給するものであり、該貯湯タンク２内の温水が減った分だけ連絡管４６を介して貯湯タンク３内の温水が補給され、そしてこの貯湯タンク３内の温水が減った分だけ給水管７を介して水が補給され、順次押し上げ方式で温水が供給されるものであり、勿論貯湯タンク２内の温水温度が一番高く、貯湯タンク３内の温水と言う順に温水温度は低く、温水温度にも差があるものである。
【００２２】
又貯湯タンク２、３内の温水を浴槽２４に湯張りする場合には、湯張り回路１７中の電磁弁１９を開成すれば、ミキシング弁１４で設定温度に調節された温水が、湯張り回路１７から風呂循環回路１８の風呂往き口２５側から浴槽２４に供給され、風呂戻り口３０側の水位センサ３１が所定水位を検知することで、電磁弁１９が閉成され湯張りは停止されるものであり、その後風呂循環回路１８で一定時間毎に循環ポンプ３３を駆動し、湯温検知サーミスタ２６で検知した湯温が設定温度より低下している時には、循環ポンプ３３を継続駆動した状態で、保温ヒータ２９に通電し湯温を設定温度に保持するように加熱保温するものであり、一定時間の間自動的に保温動作に入るものである。
【００２３】
一方長期間の不使用で、凍結防止の為に貯湯タンク２、３内の水を抜く場合には、先ず蓋体５６の対角線上に２本備えられたネジ５７を手で回動して緩めれば、蓋体５６は容易に何の工具も使用することなく取り外されて操作窓５４が露呈するものである。
【００２４】
そしてこの操作窓５４から手を入れて排水栓５３を開成すれば、排水管５２を介して貯湯タンク２、３内の水が排出され空の状態となって凍結防止が計られるものであり、更に水が抜けたら排水栓５３を閉成し再び蓋体５６を取り付け操作窓５４を閉塞するものである。
【００２５】
従って、排水栓５３は常に枠体３５内に備えられているので、従来のように凍結してしまい使用出来なくなるようなことがなく、又枠体３５内に排水栓５３が備えられても、蓋体５６を取り外すことで操作窓５４から手を入れて誰でも簡単に水抜き操作が行えるものであり、しかも蓋体５６の取り付け取り外しも手で回せるネジ５７を使用しているので容易であり、工具の必要もなく極めて簡単に行われるものであり、更に蓋体５６が付いていることで枠体３５への冷気や雨水の侵入も確実に防止出来るものである。
【００２６】
又操作窓５４周縁には立設壁５５が形成されているので、図６に示すように雨水が枠体３５表面を伝って流下して来ても立設壁５５によって操作窓５４からの侵入は確実に阻止されるものであり、蓋体５６や枠体３５に特別な構造や処理を付加しなくても、極めて簡単な構成で蓋体５６と枠体３５との隙間から流入する雨水の侵入を阻止出来るものである。
【００２７】
次に図７に示す他の実施例について説明すれば、操作窓５４に十字の切り込みが入ったゴムブッシュ５８を蓋体５６の変わりに装着したもので、通常時は操作窓５４は閉塞されて枠体３５内への冷気や雨水の侵入は防止され、そして操作時には手を挿入するだけで、切り込み部分から分かれて、内方の排水栓５３の操作が行われ、又手を抜けばゴムブッシュ５８は元に戻るものであり、蓋を取り付けたり外したりと言う煩わしさがなく極めて容易に排水栓５３の操作が行えるものである。
【００２８】
次に図８に示す他の実施例を説明すれば、操作窓５４に上部一点を支点５９とし、該操作窓５４より大径の可動蓋６０を備え、通常時はこの可動蓋６０で操作窓５４を閉塞し冷気や雨水の枠体３５内への侵入を阻止すると共に、操作時には支点５９を中心にして可動蓋６０を回動して操作窓５４を開放し前記と同様に操作すれば良いものであり、可動蓋６０を手で回動するのみの操作で操作窓５４の開放が行われ、極めて使用勝手が良いものであり、又支点５９は上部に限らず下部及び左右とどこでも良いものである。
【００２９】
尚、この一実施例では貯湯タンクが２個の場合を説明したが、これに限定されず、貯湯タンクが３個や１個の場合も同様な効果を有することは勿論である。
【００３０】
【発明の効果】
以上のようにこの発明によれば、排水栓が凍結する心配がなくいつでも水抜き操作が行え安心して使用出来ると共に、排水栓が枠体内に備えられたとしても、その操作は何等工具等を使用することなく手で極めて容易に行え使用勝手が良いものである。
又操作窓の周縁に立設壁を設けることで、雨水の枠体への侵入を簡単な構成でありながら確実に阻止することが出来、安心して使用することが出来るものである。
【００３１】
更に操作窓を枠体の側面に形成したことで、雨水が枠体表面を伝って流下してきても、この操作窓から枠体内への侵入を確実に阻止することが出来るものである。
【図面の簡単な説明】
【図１】  この発明の一実施例を付した貯湯式給湯装置の概略構成図。
【図２】同配管室の側面図。
【図３】同側面蓋を取り外した状態の配管室正面図。
【図４】同器具全体の斜視図。
【図５】同蓋体の分解斜視図。
【図６】同要部説明図。
【図７】他の実施例を示す要部正面図。
【図８】他の実施例を示す要部正面図。
【符号の説明】
２、３  貯湯タンク
７  給水管
１２  給湯管
３５  枠体
５２  排水管
５３  排水栓
５４  操作窓
５５  立設壁
５６  蓋体
５７  ネジ
５８  ゴムブッシュ
５９  支点
６０  可動蓋
【図１】
0003654822.tif 000002
【図２】
0003654822.tif 000003
【図３】
0003654822.tif 000004
【図４】
0003654822.tif 000005
【図５】
0003654822.tif 000006
【図６】
0003654822.tif 000007
【図７】
0003654822.tif 000008
【図８】
0003654822.tif 000009